(57)【要約】【課題】インクカートリッジが正しく装着されているか否かの判定を行うために導通状態を検出するための専用信号線や専用端子を、液体噴射装置やインクカートリッジに設けなくてはならないという課題がある。【解決手段】接地端子３０５と電源端子３０１と、記憶部の動作電圧ＣＶＤＤ１より低い導通検査用電圧ＣＶＤＤ２または接地電圧ＣＶＳＳのうちから選択した電圧を、接地端子３０５に印加する電圧選択部４５と、電源端子３０１の電圧と接地電圧ＣＶＳＳとを比較する電圧比較部４１〜４４と、電圧比較部から通知される比較結果によって、接地端子３０５と電源端子３０１との導通状態を判定する導通状態判定部２１と、接地端子３０５と電源端子３０１とを含む端子を介して、記憶部に記憶されたデータを読み取ったり、データを書き込んだりする制御を行う記憶部制御部２２と、を備えた液体噴射装置を提供する。【選択図】図３
2011230464.tif 000002
【特許請求の範囲】
【請求項１】
記憶部を有する液体容器を装着する装着部を備え、前記液体容器から供給される液体を液体噴射ヘッドから噴射する液体噴射装置であって、
前記液体容器を前記装着部に装着した状態で前記記憶部を介して導通し、前記装着部に設けられた、第１の端子と第２の端子と、
前記記憶部の動作電圧より低い導通検査用電圧または接地電圧のうちから選択した電圧を、前記第１の端子に印加する電圧選択部と、
前記電圧選択部によって選択された前記導通検査用電圧が前記第１の端子に印加されたとき、前記第２の端子の電圧と接地電圧とを比較する電圧比較部と、
前記電圧比較部から通知される比較結果によって、前記第１の端子と前記第２の端子間が導通状態であるかまたは非導通状態であるかを判定する導通状態判定部と、
前記第１の端子と前記第２の端子間が導通状態にあるとき、前記第１の端子と前記第２の端子を含む端子を介して、前記記憶部に記憶されたデータを読み取ったり、データを書き込んだりする制御を行う記憶部制御部と、
を備えたことを特徴とする液体噴射装置。
【発明の詳細な説明】
【技術分野】
【０００１】
本発明は、液体噴射装置に関するものである。
【背景技術】
【０００２】
液体噴射装置の一例であるインクジェット式プリンターは、例えば色別に分かれた液体容器である複数のインクカートリッジを備え、それぞれのインクカートリッジが液体噴射装置に着脱可能なものがある。インクカートリッジには、記憶素子を有する回路基板が搭載されたものがある。液体噴射装置の制御部は、インクカートリッジに備えられた端子を介して、記憶素子にインクカートリッジ内のインクの量やインクの色等の情報を格納したり、記憶素子に格納された情報を読み取ったりする。
インクカートリッジが正しい位置に装着されていなかったり、端子に塵などが付着していたりすると、液体噴射装置の制御部は、記憶素子に情報を格納したり、記憶素子から情報を読み出すことができない。
【０００３】
そこで、例えば、特許文献１では、複数のインクカートリッジに設けられた端子を介してカートリッジアウト信号線を直列に設け、少なくとも一つのインクカートリッジが正しい位置に装着されていなかったり、端子に塵などが付着していたりする場合には、信号が伝達されないことから、インクカートリッジが正しく装着されているか否かの判断を行う方法が記載されている（００６６段及び図１参照）。
【先行技術文献】
【特許文献】
【０００４】
【特許文献１】特開２００２−１４８７０号公報
【発明の概要】
【発明が解決しようとする課題】
【０００５】
しかしながら、特許文献１の方法では、インクカートリッジが正しく装着されているか否かの判定を行うために導通状態を検出する専用信号線を、液体噴射装置やインクカートリッジに設けなくてはならない。また、インクカートリッジに備えられた専用信号線と液体噴射装置に備えられた専用信号線とを、インクカートリッジの着脱に応じて、接続状態または非接続状態にするための専用端子をインクカートリッジや液体噴射装置にそれぞれ設けなくてはならない。従って、液体噴射装置やインクカートリッジの製造コストの上昇を抑制したり、液体噴射装置やインクカートリッジを小型化したりすることができないという課題がある。
【課題を解決するための手段】
【０００６】
本発明は、上述の課題の少なくとも一部を解決するためになされたものであり、以下の形態または適用例として実現することが可能である。
【０００７】
［適用例１］記憶部を有する液体容器を装着する装着部を備え、前記液体容器から供給される液体を液体噴射ヘッドから噴射する液体噴射装置であって、前記液体容器を前記装着部に装着した状態で前記記憶部を介して導通し、前記装着部に設けられた、第１の端子と第２の端子と、前記記憶部の動作電圧より低い導通検査用電圧または接地電圧のうちから選択した電圧を、前記第１の端子に印加する電圧選択部と、前記電圧選択部によって選択された前記導通検査用電圧が前記第１の端子に印加されたとき、前記第２の端子の電圧と接地電圧とを比較する電圧比較部と、前記電圧比較部から通知される比較結果によって、前記第１の端子と前記第２の端子間が導通状態であるかまたは非導通状態であるかを判定する導通状態判定部と、前記第１の端子と前記第２の端子間が導通状態にあるとき、前記第１の端子と前記第２の端子を含む端子を介して、前記記憶部に記憶されたデータを読み取ったり、データを書き込んだりする制御を行う記憶部制御部と、を備えたことを特徴とする液体噴射装置。
【０００８】
この構成によれば、記憶部の動作電圧より低い導通検査用電圧または接地電圧のうちから選択した電圧を、第１の端子に印加する電圧選択部を備える。これにより、第１の端子に導通検査用電圧を印加したとき、装着部に液体容器が装着された状態であれば、記憶部を介して第２の端子に、記憶部による電圧降下分だけ導通検査用電圧より低く、接地電圧より高い電圧が生じることになる。そして、電圧選択部によって選択された導通検査用電圧が第１の端子に印加されたとき、第２の端子の電圧と接地電圧とを比較する電圧比較部を備える。導通状態判定部は、電圧比較部から通知される比較結果によって、第２の端子に生じる電圧が接地電圧を超えていれば、第１の端子と第２の端子間が導通状態にあるとして判定する。第２の端子に生じる電圧が接地電圧であれば、第１の端子と第２の端子間が非導通状態であるとして判定する。このとき、第１の端子に印加する導通検査用電圧は記憶部の動作電圧より低いので、記憶部を損傷することがない。
【０００９】
一方、記憶部制御部は、第１の端子と第２の端子間が導通状態にあるとき、第１の端子と第２の端子を含む端子を介して、記憶部に記憶されたデータを読み取ったり、データを書き込んだりする制御を行う。これにより、第１の端子と第２の端子とを、導通状態判定部による導通検査用としての用途と、記憶部制御部による記憶部に記憶されたデータを読み取ったり、データを書き込んだりする制御を行うための用途と、共用することができる。
【００１０】
そのため、液体容器が液体噴射装置に装着されているか否かを検出するための専用信号線や専用端子を液体噴射装置やインクカートリッジに設けなくてもよい。従って、液体噴射装置やインクカートリッジの製造コストの上昇を抑制したり、液体噴射装置やインクカートリッジを小型化したりすることが可能となる。
【図面の簡単な説明】
【００１１】
【図１】液体噴射装置の概略構成を示した図。
【図２】（ａ）は、インクカートリッジの外観斜視図、（ｂ）は、インクカートリッジを装着するための装着部を示す外観斜視図。
【図３】インクカートリッジを検出する状態における、主制御部、サブ制御部、インクカートリッジとの電気的な構成を示すブロック図。
【図４】記憶部の電気的な構成を示すブロック図。
【図５】電圧比較部の一例としての回路構成を示した図。
【図６】記憶部を動作させる状態における、主制御部、サブ制御部、インクカートリッジとの電気的な構成を示すブロック図。
【図７】第２実施形態における、主制御部、サブ制御部、インクカートリッジとの電気的な構成を示すブロック図。
【図８】第３実施形態における、主制御部、サブ制御部、インクカートリッジとの電気的な構成を示すブロック図。
【発明を実施するための形態】
【００１２】
（第１実施形態）
以下、第１実施形態について図面を参照しつつ説明する。図１は第１実施形態における液体噴射装置としてのインクジェット式プリンター（以降はプリンターと称する）１の概略構成を示した図である。
【００１３】
キャリッジ６は、キャリッジモーター７とプーリー４に張設された駆動ベルト５に固定されている。キャリッジモーター７の駆動により、駆動ベルト５が回転し、キャリッジ６が、ガイド軸８に沿って図面左右方向に移動する。
【００１４】
紙送りモーター９の駆動により、プラテン１０が回転し、記録媒体としての用紙Ｐが、キャリッジ６の移動方向と交わる方向に搬送される。
【００１５】
液体容器としてのインクカートリッジ１００Ｂ，１００Ｙ，１００Ｍ，１００Ｃが、キャリッジ６に着脱可能に搭載される。インクカートリッジ１００Ｂ，１００Ｙ，１００Ｍ，１００Ｃには、液体としての、ブラックインク、イエロー、マゼンタ、シアンのカラーインクがそれぞれ収容される。
【００１６】
キャリッジ６の用紙Ｐ側には、液体噴射ヘッド（不図示）が備えられる。液体噴射ヘッドには、インクカートリッジ１００Ｂ，１００Ｙ，１００Ｍ，１００Ｃからインクが供給され、液体噴射ヘッドに設けられた複数のノズル（不図示）から液滴が噴射される。
【００１７】
プリンター１は、コネクター２を介して、コンピューター２００と接続される。コンピューター２００からは文字データや画像データが主制御部２０に入力される。主制御部２０は、キャリッジモーター７、紙送りモーター９の駆動制御と、液体噴射ヘッドからの液滴の吐出制御とを行うことにより、コンピューター２００から入力された文字データや画像データを用紙Ｐに画像として形成する。
【００１８】
プリンター１には、ユーザーがプリンター１の各種設定を行ったり、プリンター１の各種設定状態を確認するための操作パネル３が備えられる。
【００１９】
キャリッジ６には、インクカートリッジ１００Ｂ，１００Ｙ，１００Ｍ，１００Ｃの装着状態を検出するためのサブ制御部４０が設けられたサブ制御基板３０が備えられる。
【００２０】
図２（ａ）は、インクカートリッジ１００Ｂ，１００Ｙ，１００Ｍ，１００Ｃの外観斜視図である。インクカートリッジ１００Ｂ，１００Ｙ，１００Ｍ，１００Ｃには、電源端子１０１、リセット端子１０２、クロック端子１０３、データ端子１０４、接地端子１０５が備えられる。
【００２１】
図２（ｂ）は、図１のキャリッジ６に設けられた、インクカートリッジ１００Ｂ，１００Ｙ，１００Ｍ，１００Ｃを装着するための装着ユニット６０の一部を示す外観斜視図である。装着ユニット６０は、インクカートリッジ１００Ｂを装着する装着部６０Ｂ、インクカートリッジ１００Ｙを装着する装着部６０Ｙ、インクカートリッジ１００Ｍを装着する装着部（不図示）、インクカートリッジ１００Ｃを装着する装着部（不図示）から構成される。
【００２２】
装着部６０Ｂ，６０Ｙの駆動ベルト５側には、サブ制御基板３０の一部である端子取り付け部３０Ｂ，３０Ｙが備えられる。端子取り付け部３０Ｂ，３０Ｙには、電源端子３０１、リセット端子３０２、クロック端子３０３、データ端子３０４、接地端子３０５がそれぞれ備えられる。
【００２３】
装着部６０Ｂ，６０Ｙの底部には、インクカートリッジ１００Ｂ，１００Ｙに挿入し、液体噴射ヘッドにインクを供給するためのインク供給針６１がそれぞれ備えられる。
【００２４】
インクカートリッジ１００Ｂ，１００Ｙが装着部６０Ｂ，６０Ｙに正しく装着されると、インクカートリッジ１００Ｂ，１００Ｙに設けられた電源端子１０１、リセット端子１０２、クロック端子１０３、データ端子１０４、接地端子１０５は、端子取り付け部３０Ｂ，３０Ｙに設けられた電源端子３０１、リセット端子３０２、クロック端子３０３、データ端子３０４、接地端子３０５にそれぞれ当接する。
【００２５】
図示しないが、同様に、インクカートリッジ１００Ｍ，１００Ｃの装着部の端子取り付け部には、電源端子、リセット端子、クロック端子、データ端子、接地端子がそれぞれ設けられ、装着部の底部にはインク供給針がそれぞれ備えられる。
【００２６】
図３は、インクカートリッジを検出する状態における、主制御部２０、サブ制御部４０、インクカートリッジ１００Ｂ，１００Ｙ，１００Ｍ，１００Ｃとの電気的な構成を示すブロック図である。
【００２７】
インクカートリッジ１００Ｂ，１００Ｙ，１００Ｍ，１００Ｃには、不揮発性メモリーである記憶部１２０Ｂ，１２０Ｙ，１２０Ｍ，１２０Ｃがそれぞれ備えられる。図４は、記憶部１２０Ｂ，１２０Ｙ，１２０Ｍ，１２０Ｃの電気的な構成を示すブロック図である。メモリー制御回路１３０は、メモリーセルアレイ１４０のアドレスを指定し、メモリーセルアレイ１４０に格納されているデータの読み取りやデータの書き込みをすることができる。
【００２８】
記憶部１２０Ｂ，１２０Ｙ，１２０Ｍ，１２０Ｃには、静電保護のためにダイオードＤ１〜Ｄ６が備えられる。ダイオードＤ１は接地端子１０５からリセット端子１０２に、ダイオードＤ２は接地端子１０５からクロック端子１０３に、ダイオードＤ３は接地端子１０５からデータ端子１０４に、ダイオードＤ４はリセット端子１０２から電源端子１０１に、ダイオードＤ５はクロック端子１０３から電源端子１０１に、ダイオードＤ６はデータ端子１０４から電源端子１０１に、それぞれ順方向に接続される。
【００２９】
図２（ｂ）を参照して説明したように、図３のサブ制御基板３０の端子取り付け部３０Ｂ，３０Ｙ，３０Ｍ，３０Ｃには、電源端子３０１、リセット端子３０２、クロック端子３０３、データ端子３０４、接地端子３０５がそれぞれ設けられる。
【００３０】
サブ制御基板３０には、インクカートリッジ１００Ｂ，１００Ｙ，１００Ｍ，１００Ｃを装着部６０Ｂ，６０Ｙ，６０Ｍ，６０Ｃにそれぞれ装着した状態で、記憶部１２０Ｂ，１２０Ｙ，１２０Ｍ，１２０Ｃにそれぞれ対応する電圧比較部４１〜４４が備えられる。
【００３１】
サブ制御部４０は、ハード構成として、ＡＳＩＣ（Ａｐｐｌｉｃａｔｉｏｎ  Ｓｐｅｃｉｆｉｃ  ＩＣ）を備える。ＡＳＩＣは、電圧比較部４１〜４４、電圧選択部４５、通信処理部４６を備える。
【００３２】
図５は、電圧比較部４１の一例としての回路構成を示した図である。オペアンプ４１１の一方の入力線４１４は接地され、他方の入力線４１２は電源供給線１３に接続される。入力線４１４，４１２間を接続する抵抗４１３が備えられる。
【００３３】
電圧比較部４１は、オペアンプ４１１の出力線４１０に出力される電圧から、電源供給線１３に印加された電圧が接地電圧であるか、接地電圧を超えているかを判定する。電圧比較部４２〜４４は、電圧比較部４１と同じ構成である。
【００３４】
図３の電源供給線１３は、主制御部２０と、電圧比較部４１と、端子取り付け部３０Ｂの電源端子３０１とを接続する。電源供給線１４は、主制御部２０と、電圧比較部４２と、端子取り付け部３０Ｙの電源端子３０１とを接続する。電源供給線１５は、主制御部２０と、電圧比較部４３と、端子取り付け部３０Ｍの電源端子３０１とを接続する。電源供給線１６は、主制御部２０と、電圧比較部４４と、端子取り付け部３０Ｃの電源端子３０１とを接続する。
【００３５】
主制御部２０とサブ制御部４０とは、データ通信に用いられるバス１２、接地線１１によって接続される。
【００３６】
サブ制御基板３０には、各リセット端子３０２と通信処理部４６とを接続するリセット信号線３１２、各クロック端子３０３と通信処理部４６とを接続するクロック信号線３１３、各データ端子３０４と通信処理部４６とを接続するデータ信号線３１４が設けられる。
【００３７】
サブ制御部４０には、電圧選択部４５が備えられる。電圧選択部４５は、電圧降下部４５３、接続切り替え部４５４を含んで構成される。電圧降下部４５３によって、接点４５５における電圧は、電源供給線１７を介して印加された動作電圧ＣＶＤＤ１より低い導通検査用電圧ＣＶＤＤ２となる。電圧降下部４５３を構成する一例として、一方が電源供給線１７に接続された抵抗４５２を含んで構成される。
【００３８】
接続切り替え部４５４は、例えばトランジスター（不図示）などを含む電子回路から構成され、各接地端子３０５に接続された接点４５７と抵抗４５２の一方の接点４５５と接続したり、接点４５７と接地された接点４５６とを接続したりする。
【００３９】
図３は、接続切り替え部４５４によって、接点４５７と接点４５５とが接続されている状態であることを示す。主制御部２０は、電源供給線１７を介して、電圧選択部４５の抵抗４５２の一端に動作電圧ＣＶＤＤ１を印加する。このとき、主制御部２０は、電源供給線１３〜１６には電圧を印加しない。
【００４０】
接点４５７からは、端子取り付け部３０Ｂ，３０Ｙ，３０Ｍ，３０Ｃの各接地端子３０５に向かって分岐する接地線３１５が設けられる。
【００４１】
主制御部２０は、ＣＰＵ（不図示）、ＲＡＭ（不図示）、ＲＯＭ（不図示）を含んで構成される。主制御部２０には、導通状態判定部２１、記憶部制御部２２が備えられる。導通状態判定部２１、記憶部制御部２２は、ＲＯＭに記憶されたプログラムから構成され、ＣＰＵがＲＯＭからプログラムをＲＡＭに読み出して実行することによって機能する。
【００４２】
導通状態判定部２１は、電圧比較部４１〜４４から通知される比較結果によって、第１の端子としての接地端子３０５と第２の端子としての電源端子３０１との間の導通状態を判定する。
【００４３】
記憶部制御部２２は、接地端子３０５と電源端子３０１との間が導通状態にあるとき、接地端子３０５と電源端子３０１を含む端子を介して、記憶部１２０Ｂ，１２０Ｙ，１２０Ｍ，１２０Ｃに記憶されたデータを読み取ったり、データを書き込んだりする制御を行う。本実施形態における記憶部制御部２２は、接地端子３０５と電源端子３０１とを、記憶部１２０Ｂ，１２０Ｙ，１２０Ｍ，１２０Ｃを動作させるための動作電圧ＣＶＤＤ１を供給するための端子として用い、リセット信号線３１２、クロック端子３０３、データ端子３０４を、通信処理部４６が用いる通信処理用の端子として用いる。
【００４４】
ここで、インクカートリッジ１００Ｂが正しく装着部６０Ｂに装着されているか否かを検出する方法について説明する。インクカートリッジ１００Ｂが正しく装着部６０Ｂに装着されている場合には、接点４５７は、接地線３１５、端子取り付け部３０Ｂの接地端子３０５、インクカートリッジ１００Ｂの接地端子１０５、図４のダイオードＤ１〜Ｄ６、インクカートリッジ１００Ｂの電源端子１０１、端子取り付け部３０Ｂの電源端子３０１、電源供給線１３を介して電圧比較部４１と導通する。
【００４５】
この状態では、電源供給線１３に生じる電圧は、導通検査用電圧ＣＶＤＤ２より接点４５７からダイオードＤ１〜Ｄ６などによる電圧降下分だけ低く、接地電圧ＣＶＳＳより高い電圧ＣＶＤＤ３となる。図５の電圧比較部４１は、接地電圧ＣＶＳＳと電源供給線１３の電圧とを比較し、電源供給線１３の電圧が接地電圧ＣＶＳＳより高いことを検出し、導通状態判定部２１に比較結果として通知する。
【００４６】
導通状態判定部２１は、電源供給線１３の電圧が接地電圧ＣＶＳＳより高いことから、接地端子３０５と電源端子３０１間が導通状態であるとして判定する。これにより、導通状態判定部２１は、インクカートリッジ１００Ｂが装着部６０Ｂに正しく装着されているとして判定する。
【００４７】
ここで、インクカートリッジ１００Ｂが正しく装着部６０Ｂに装着されていないときは、端子取り付け部３０Ｂの接地端子３０５と電源端子３０１とが、インクカートリッジ１００Ｂの接地端子１０５、ダイオードＤ１〜Ｄ６、電源端子１０１とを介して接続されないので、電源供給線１３には電圧ＣＶＤＤ３が生じない。
【００４８】
図５の電圧比較部４１は、接地電圧ＣＶＳＳと電源供給線１３の電圧とを比較し、電源供給線１３には電圧ＣＶＤＤ３が生じていないことを検出し、導通状態判定部２１に比較結果として通知する。
【００４９】
導通状態判定部２１は、電源供給線１３には電圧ＣＶＤＤ３が生じていないことから、接地端子３０５と電源端子３０１間が非導通状態であるとして判定する。これにより、導通状態判定部２１は、インクカートリッジ１００Ｂが装着部６０Ｂに正しく装着されていないとして判定する。
【００５０】
同様に、導通状態判定部２１は、サブ制御部４０を用いてインクカートリッジ１００Ｙ，１００Ｍ，１００Ｃが装着部６０Ｙ，６０Ｍ，６０Ｃにそれぞれ正しく装着されているか否かを検出する。
【００５１】
このような方法により、インクカートリッジ１００Ｂが、正しく装着部６０Ｂに装着されていても、接地端子３０５と接地端子１０５の間や、電源端子３０１と電源端子１０１との間にゴミなどが付着し、端子間が接触不良となっているような場合にも接続不良として検出することができる。
【００５２】
次に、記憶部１２０Ｂ，１２０Ｙ，１２０Ｍ，１２０Ｃを動作させるときについて説明する。図６は、記憶部１２０Ｂ，１２０Ｙ，１２０Ｍ，１２０Ｃを動作させる状態における、主制御部２０、サブ制御部４０、インクカートリッジ１００Ｂ，１００Ｙ，１００Ｍ，１００Ｃの電気的な構成を示すブロック図である。
【００５３】
図６は、電圧選択部４５における接続切り替え部４５４によって、接地線３１５と接地された接点４５６とが接続されている状態であることを示す。この状態では、接地線３１５の電圧は、接地電圧ＣＶＳＳとなる。従って、端子取り付け部３０Ｂ，３０Ｙ，３０Ｍ，３０Ｃの各接地端子３０５、インクカートリッジ１００Ｂ，１００Ｙ，１００Ｍ，１００Ｃの各接地端子１０５は接地される。
【００５４】
このとき、記憶部制御部２２は、電源供給線１３〜１６を介して、端子取り付け部３０Ｂ，３０Ｙ，３０Ｍ，３０Ｃの各電源端子３０１のそれぞれに動作電圧ＣＶＤＤ１を印加する。これにより、インクカートリッジ１００Ｂ，１００Ｙ，１００Ｍ，１００Ｃの電源端子１０１を介して記憶部１２０Ｂ，１２０Ｙ，１２０Ｍ，１２０Ｃは動作することができる。
【００５５】
通信処理部４６は、リセット信号線３１２を介して、リセット信号ＣＲＳＴを記憶部１２０Ｂ，１２０Ｙ，１２０Ｍ，１２０Ｃに送信する。また、通信処理部４６は、クロック信号線３１３を介して、クロック信号ＣＳＣＫを記憶部１２０Ｂ，１２０Ｙ，１２０Ｍ，１２０Ｃに送信する。また、通信処理部４６は、データ信号線３１４を介して、データ信号ＣＳＤＡを記憶部１２０Ｂ，１２０Ｙ，１２０Ｍ，１２０Ｃに送信する。
【００５６】
通信処理部４６は、リセット信号線３１２、クロック信号線３１３、データ信号線３１４を介して記憶部１２０Ｂ，１２０Ｙ，１２０Ｍ，１２０Ｃとの通信処理を行う。また、通信処理部４６は、バス１２を介して記憶部制御部２２との通信処理を行う。
【００５７】
図３を参照して説明したように、導通状態判定部２１は、電圧選択部４５を用いて、接地端子３０５に動作電圧ＣＶＤＤ１より低い導通検査用電圧ＣＶＤＤ２を印加し、電圧比較部４１〜４４を用いて、電源端子３０１に接続された電源供給線１３の電圧を接地電圧ＣＶＳＳと比較することによって、インクカートリッジ１００Ｂ，１００Ｙ，１００Ｍ，１００Ｃが正しく装着されているか否かを検出する。
【００５８】
一方、図６を参照して説明したように、記憶部制御部２２は、電圧選択部４５を用いて、接地端子３０５を接地電圧ＣＶＳＳとし、端子取り付け部３０Ｂ，３０Ｙ，３０Ｍ，３０Ｃの各電源端子３０１に動作電圧ＣＶＤＤ１を印加することによって記憶部１２０Ｂ，１２０Ｙ，１２０Ｍ，１２０Ｃを動作させ、通信処理部４６を用いて通信処理を行う。
【００５９】
すなわち、導通状態判定部２１が、インクカートリッジ１００Ｂ，１００Ｙ，１００Ｍ，１００Ｃが正しく装着されているか否かを検出するときは、第１の端子としての接地端子３０５、第２の端子としての電源端子３０１を導通検査用端子として用いる。一方、記憶部制御部２２が、インクカートリッジ１００Ｂ，１００Ｙ，１００Ｍ，１００Ｃに設けられた記憶部１２０Ｂ，１２０Ｙ，１２０Ｍ，１２０Ｃを動作させるときは、接地端子３０５は接地用の端子となり、電源端子３０１は、記憶部１２０Ｂ，１２０Ｙ，１２０Ｍ，１２０Ｃを動作させるための動作電圧ＣＶＤＤ１を印加するための端子として用いる。
【００６０】
以上、本実施形態で説明した液体噴射装置としてのプリンター１は、液体容器としてのインクカートリッジ１００Ｂ，１００Ｙ，１００Ｍ，１００Ｃを装着部６０Ｂ，６０Ｙ，６０Ｍ，６０Ｃにそれぞれ装着した状態で記憶部１２０Ｂ，１２０Ｙ，１２０Ｍ，１２０Ｃを介してそれぞれ導通し、装着部６０Ｂ，６０Ｙ，６０Ｍ，６０Ｃにそれぞれ設けられた、第１の端子としての接地端子３０５と第２の端子としての電源端子３０１と、記憶部１２０Ｂ，１２０Ｙ，１２０Ｍ，１２０Ｃの動作電圧ＣＶＤＤ１より低い導通検査用電圧ＣＶＤＤ２または接地電圧ＣＶＳＳのうちから選択した電圧を、接地端子３０５に印加する電圧選択部４５と、電圧選択部４５によって選択された導通検査用電圧ＣＶＤＤ２が接地端子３０５に印加されたとき、電源端子３０１の電圧と接地電圧ＣＶＳＳとを比較する電圧比較部４１〜４４と、電圧比較部４１〜４４から通知される比較結果によって、接地端子３０５と電源端子３０１間が導通状態であるかまたは非導通状態であるかを判定する導通状態判定部２１と、接地端子３０５と電源端子３０１間が導通状態にあるとき、接地端子３０５と電源端子３０１とを含む端子を介して、記憶部１２０Ｂ，１２０Ｙ，１２０Ｍ，１２０Ｃに記憶されたデータを読み取ったり、データを書き込んだりする制御を行う記憶部制御部２２とを備える。
【００６１】
この構成によれば、接地端子３０５に導通検査用電圧ＣＶＤＤ２を印加したとき、装着部６０Ｂ，６０Ｙ，６０Ｍ，６０Ｃにインクカートリッジ１００Ｂ，１００Ｙ，１００Ｍ，１００Ｃが装着された状態であれば、記憶部１２０Ｂ，１２０Ｙ，１２０Ｍ，１２０Ｃを介して電源端子３０１に、記憶部１２０Ｂ，１２０Ｙ，１２０Ｍ，１２０Ｃによる電圧降下分だけ導通検査用電圧ＣＶＤＤ２より低く、接地電圧ＣＶＳＳより高い電圧ＣＶＤＤ３が生じることになる。
【００６２】
導通状態判定部２１は、電圧比較部４１〜４４から比較結果の通知を受け、電源端子３０１に生じる電圧が接地電圧ＣＶＳＳを超えていれば、接地端子３０５と電源端子３０１間が導通状態にあるとして判定する。電源端子３０１に生じる電圧が接地電圧ＣＶＳＳであれば、接地端子３０５と電源端子３０１間が非導通状態であるとして判定する。このとき、接地端子３０５に印加する導通検査用電圧ＣＶＤＤ２は記憶部１２０Ｂ，１２０Ｙ，１２０Ｍ，１２０Ｃの動作電圧ＣＶＤＤ１より低いので、記憶部１２０Ｂ，１２０Ｙ，１２０Ｍ，１２０Ｃを損傷することがない。
【００６３】
一方、記憶部制御部２２は、接地端子３０５と電源端子３０１間が導通状態にあるとき、接地端子３０５と電源端子３０１を介して、記憶部１２０Ｂ，１２０Ｙ，１２０Ｍ，１２０Ｃを動作させるための動作電圧ＣＶＤＤ１を供給する。これにより、接地端子３０５と電源端子３０１とを、導通状態判定部２１による導通検査用としての用途と、動作電圧ＣＶＤＤ１を供給し、記憶部制御部２２による記憶部に記憶されたデータを読み取ったり、データを書き込んだりする制御を行うための用途と、共用することができる。
【００６４】
そのため、インクカートリッジ１００Ｂ，１００Ｙ，１００Ｍ，１００Ｃがプリンター１に装着されているか否かを検出するための専用信号線や専用端子をプリンター１の装着部６０Ｂ，６０Ｙ，６０Ｍ，６０Ｃやインクカートリッジ１００Ｂ，１００Ｙ，１００Ｍ，１００Ｃに設けなくてもよい。従って、プリンター１やインクカートリッジ１００Ｂ，１００Ｙ，１００Ｍ，１００Ｃの製造コストの上昇を抑制したり、プリンター１やインクカートリッジ１００Ｂ，１００Ｙ，１００Ｍ，１００Ｃを小型化したりすることが可能となる。
【００６５】
また、接地端子３０５、電源端子３０１、電圧比較部４１〜４４を、インクカートリッジ１００Ｂ，１００Ｙ，１００Ｍ，１００Ｃをそれぞれ装着する装着部６０Ｂ，６０Ｙ，６０Ｍ，６０Ｃにそれぞれ対応して備える。従って、インクカートリッジ１００Ｂ，１００Ｙ，１００Ｍ，１００Ｃを装着部６０Ｂ，６０Ｙ，６０Ｍ，６０Ｃにそれぞれ装着した状態では、記憶部１２０Ｂ，１２０Ｙ，１２０Ｍ，１２０Ｃにそれぞれ対応する接地端子３０５、電源端子３０１、電圧比較部４１〜４４が備えられる。
【００６６】
この構成によれば、インクカートリッジが装着されていない装着部の接地端子３０５と電源端子３０１とが導通しないので、導通状態判定部２１は、電圧比較部４１〜４４からの通知によって、接地電圧ＣＶＳＳである電源端子３０１を個別に検知することができる。従って、それぞれのインクカートリッジ１００Ｂ，１００Ｙ，１００Ｍ，１００Ｃが、プリンター１に正しく装着されているか否かを個別に検出することができる。
【００６７】
（第２実施形態）
第１実施形態では、インクカートリッジ１００Ｂ，１００Ｙ，１００Ｍ，１００Ｃが、プリンター１に正しく装着されているか否かを検査するとき、第２の端子として、記憶部１２０Ｂ，１２０Ｙ，１２０Ｍ，１２０Ｃに電源を供給するための電源端子３０１を用いたが、第２実施形態では、第２の端子として、リセット信号ＣＲＳＴを送信するためのリセット端子３０２を用いた場合について説明する。
【００６８】
図７は、第２実施形態のプリンター１ａにおける、主制御部、サブ制御部、インクカートリッジとの電気的な構成を示すブロック図である。図７は、電圧選択部４５における接続切り替え部４５４によって接点４５５と接点４５７とを接続状態とし、インクカートリッジを検出する状態であることを示す。
【００６９】
第２実施形態における第２の端子は、端子取り付け部３０Ｂ，３０Ｙ，３０Ｍ，３０Ｃのリセット端子３０２を用いる。端子取り付け部３０Ｂのリセット端子３０２は、リセット信号線３１２Ｂによって、サブ制御部４０の電圧比較部４１に接続されるとともに、通信処理部４６に接続される。端子取り付け部３０Ｙのリセット端子３０２は、リセット信号線３１２Ｙによって、サブ制御部４０の電圧比較部４２に接続されるとともに、通信処理部４６に接続される。端子取り付け部３０Ｍのリセット端子３０２は、リセット信号線３１２Ｍによって、サブ制御部４０の電圧比較部４３に接続されるとともに、通信処理部４６に接続される。端子取り付け部３０Ｃのリセット端子３０２は、リセット信号線３１２Ｃによって、サブ制御部４０の電圧比較部４４に接続されるとともに、通信処理部４６に接続される。
【００７０】
図７の電圧選択部４５における接点４５７の電圧は、第１実施形態で説明したように、動作電圧ＣＶＤＤ１より低い導通検査用電圧ＣＶＤＤ２である。そのため、第１の端子としての各接地端子３０５は、接地線３１５を介して導通検査用電圧ＣＶＤＤ２となる。
【００７１】
導通状態判定部２１は、電圧比較部４１から比較結果の通知を受け、リセット端子３０２に生じる電圧が接地電圧ＣＶＳＳを超えていれば、接地端子３０５とリセット端子３０２間が導通状態にあるとして判定する。リセット端子３０２に生じる電圧が接地電圧ＣＶＳＳであれば、接地端子３０５とリセット端子３０２間が非導通状態であるとして判定する。このとき、接地端子３０５に印加する導通検査用電圧ＣＶＤＤ２は記憶部１２０Ｂ，１２０Ｙ，１２０Ｍ，１２０Ｃの動作電圧ＣＶＤＤ１より低いので、記憶部１２０Ｂ，１２０Ｙ，１２０Ｍ，１２０Ｃを損傷することがない。
【００７２】
同様に、電圧比較部４２〜４４は、リセット端子３０２に生じる電圧と接地電圧ＣＶＳＳと比較し、比較結果を導通状態判定部２１に通知する。導通状態判定部２１は、電圧比較部４２〜４４から比較結果の通知を受け、リセット端子３０２に生じる電圧が接地電圧ＣＶＳＳを超えていれば、接地端子３０５とリセット端子３０２間が導通状態にあるとして判定する。リセット端子３０２に生じる電圧が接地電圧ＣＶＳＳであれば、接地端子３０５とリセット端子３０２間が非導通状態であるとして判定する。
【００７３】
図７の電圧選択部４５における接続切り替え部４５４によって、接点４５７と接地された接点４５６とを接続した状態（不図示）では、各接地端子３０５は接地電圧ＣＶＳＳとなり、記憶部制御部２２は、各電源端子３０１に動作電圧ＣＶＤＤ１を印加して記憶部１２０Ｂ，１２０Ｙ，１２０Ｍ，１２０Ｃを動作させる。
【００７４】
サブ制御部４０の通信処理部４６は、端子取り付け部３０Ｂ，３０Ｙ，３０Ｍ，３０Ｃの各リセット端子３０２に対して、リセット信号線３１２Ｂ，３１２Ｙ，３１２Ｍ，３１２Ｃを介してリセット信号ＣＲＳＴを送信して記憶部１２０Ｂ，１２０Ｙ，１２０Ｍ，１２０Ｃとの通信処理を行う。
【００７５】
以上、第２実施形態で説明したように、インクカートリッジ１００Ｂ，１００Ｙ，１００Ｍ，１００Ｃが正しく装着されているか否かを検出するときは、第１の端子としての接地端子３０５、第２の端子としてのリセット端子３０２を導通検査用端子として用いる。一方、インクカートリッジ１００Ｂ，１００Ｙ，１００Ｍ，１００Ｃに設けられた記憶部１２０Ｂ，１２０Ｙ，１２０Ｍ，１２０Ｃを動作させるときは、接地端子３０５は接地用の端子となり、リセット端子３０２は、記憶部１２０Ｂ，１２０Ｙ，１２０Ｍ，１２０Ｃと通信処理を行うための端子として用いる。すなわち、接地端子３０５とリセット端子３０２とを、導通検査用としての用途と、導通検査用とは異なる通信処理としての用途とに共用することができる。
【００７６】
同様に、第１の端子として接地端子３０５を用い、第２の端子としてクロック端子３０３またはデータ端子３０４を用いてもよい。
【００７７】
（第３実施形態）
第１実施形態、第２実施形態では、複数のインクカートリッジ１００Ｂ，１００Ｙ，１００Ｍ，１００Ｃをそれぞれ装着する複数の装着部６０Ｂ，６０Ｙ，６０Ｍ，６０Ｃを備えたプリンター１，１ａについて説明したが、一つのインクカートリッジを装着する一つの装着部を備えたプリンターにも適用する。図８は、第３実施形態のプリンター１ｂにおける、主制御部２０、サブ制御部４０、インクカートリッジ１００Ｂの電気的な構成を示すブロック図である。
【００７８】
図８は、第１実施形態で説明した図３のブロック図から、インクカートリッジ１００Ｙ，１００Ｍ，１００Ｃ、装着部６０Ｙ，６０Ｍ，６０Ｃ、電圧比較部４２〜４４を削除したものである。
【００７９】
プリンター１ｂは、液体容器としてのインクカートリッジ１００Ｂを装着する装着部６０Ｂを備える。装着部６０Ｂにインクカートリッジ１００Ｂを装着した状態で、記憶部１２０Ｂに対応する第２の端子としての電源端子３０１、リセット端子３０２、クロック端子３０３、データ端子３０４、第１の端子としての接地端子３０５、電圧比較部４１を備える。その他の構成は、第１実施形態におけるプリンター１と同じ構成である。
【００８０】
この構成によれば、電圧選択部４５によって選択された接地電圧ＣＶＳＳが接地端子３０５に印加された状態にあるときは、接地端子３０５と電源端子３０１とを、インクカートリッジ１００Ｂが装着されているか否かを検査するための検査用端子としての用途と異なる他の用途に用いることができる。すなわち、接地端子３０５と電源端子３０１とを、導通検査用としての用途と、導通検査用とは異なる用途とに共用することができる。そのため、インクカートリッジ１００Ｂがプリンター１ｂに装着されているか否かを検出するための専用信号線や専用端子をプリンター１ｂの装着部６０Ｂやインクカートリッジ１００Ｂに設けなくてもよい。従って、プリンター１ｂやインクカートリッジ１００Ｂの製造コストの上昇を抑制したり、プリンター１ｂやインクカートリッジ１００Ｂを小型化したりすることが可能となる。
【００８１】
上述した第１実施形態〜第３実施形態においては、液体としてのインクを収容する液体容器を装着し、インクを噴射する液体噴射ヘッドを備えた液体噴射装置について説明したが、インク以外の液体を収容する液体容器を装着し、液体を噴射する液体噴射ヘッドを備えた液体噴射装置にも適用することができる。その他の液体噴射ヘッドを備えた液体噴射装置としては、例えば、液晶ディスプレイ等のカラーフィルターの製造に用いられる色材噴射ヘッド、有機ＥＬディスプレイ、ＦＥＤ（面発光ディスプレイ）等の電極形成に用いられる電極材料噴射ヘッド、バイオｃｈｉｐ製造に用いられる生体有機物噴射ヘッドを備えた液体噴射装置等が挙げられる。
【符号の説明】
【００８２】
１，１ａ，１ｂ…インクジェット式プリンター、２１…導通状態判定部、２２…記憶部制御部、４１〜４４…電圧比較部、４５…電圧選択部、６０Ｂ，６０Ｙ，６０Ｍ，６０Ｃ…装着部、１００Ｂ，１００Ｙ，１００Ｍ，１００Ｃ…インクカートリッジ、１２０Ｂ，１２０Ｙ，１２０Ｍ，１２０Ｃ…記憶部、３０１…電源端子、３０５…接地端子、４５３…電圧降下部、４５４…接続切り替え部、ＣＶＤＤ１…動作電圧、ＣＶＤＤ２…導通検査用電圧、ＣＶＳＳ…接地電圧。
【図１】
2011230464.tif 000003
【図２】
2011230464.tif 000004
【図３】
2011230464.tif 000005
【図４】
2011230464.tif 000006
【図５】
2011230464.tif 000007
【図６】
2011230464.tif 000008
【図７】
2011230464.tif 000009
【図８】
2011230464.tif 000010